【手続補正書】
【提出日】平成17年3月25日(2005.3.25)
【手続補正１】
【補正対象書類名】特許請求の範囲
【補正対象項目名】全文
【補正方法】変更
【補正の内容】
【特許請求の範囲】
【請求項１】
複数のアンテナから信号を送信する方法であって、
送信機においてシンボルストリームを受信する段階と、
N×N'直交空間-時間ブロック符号を有し、N個の第1信号を生成する変換結果を生成するために、前記入力シンボルストリームを変換する段階と、
少なくとも1つの第2信号を生成するために、前記変換結果の前記N個の第1信号の中の少なくとも1つを時間軸で非ゼロ複素重み付けする段階であって、前記少なくとも1つの第2信号のそれぞれが、その生成元である前記N個の第1信号の中の1つに対して位相偏移され、前記非ゼロ複素重み付けする段階は、少なくとも第１の所定のホッピングシーケンスにより前記N個の第1信号の中の少なくとも１つを位相偏移させるステップを有し、前記所定のホッピングシーケンスに対するホッピング重みは８つの状態を有するPSK信号点配置から得られ、度を単位とする前記所定のホッピングシーケンスは（０，１３５，２７０，４５，１８０，３１５，９０，２２５）である前記非ゼロ複素重み付けする段階と、
第1の少なくとも1つのアンテナの中の1つで前記変換結果の前記N個の第1信号のそれぞれを、そして、第2の少なくとも1つのアンテナの中の1つで前記少なくとも1つの第2信号のそれぞれをほぼ同時に送信する段階であって、前記N個の第1信号と前記少なくとも1つの第2信号が合わさってMがNよりも大きなM個の信号を備える前記送信する段階と、を有する方法。
【請求項２】
信号を送信する装置であって、
入力シンボルストリームと、
前記入力シンボルストリームを変換してN×N'直交空間-時間ブロック符号を有する変換結果を生成し、N個の第1信号を生成するプロセッサと、
前記変換結果の前記N個の第1信号の中の少なくとも1つを時間軸で非ゼロ複素重み付けして少なくとも1つの第2信号を生成する少なくとも1つの重み付け器であって、前記少なくと1つの第2の重み付けされた信号を、その生成元である前記N個の第1信号の中の1つに対して位相偏移させ、前記非ゼロ複素重み付けは、少なくとも第１の所定のホッピングシーケンスにより前記N個の第1信号の中の少なくとも１つを位相偏移させることを備え、前記所定のホッピングシーケンスに対するホッピング重みは８つの状態を有するPSK信号点配置から得られ、度を単位とする前記所定のホッピングシーケンスは（０，１３５，２７０，４５，１８０，３１５，９０，２２５）である前記少なくとも1つの重み付け器と、
第1の少なくとも1つのアンテナの中の1つで前記変換結果の前記N個の第1信号のそれぞれを、そして、第2の少なくとも1つのアンテナの中の1つで前記N個の第2信号のそれぞれをほぼ同時に送信する送信機であって、前記N個の第1信号と前記少なくとも1つの第2信号が合わさってMがNよりも大きなM個の信号を備える前記送信機と、を備える装置。
【請求項３】
前記の非ゼロ複素重み付けする段階の動作期間中に、前記N個の第1信号の中の1つから生成され、該N個の第１信号の中の１つに対して位相偏移される前記少なくとも1つの第2信号は、最初の第２信号と少なくとも２番目の第２信号とからなり、前記少なくとも第１の所定のホッピングシーケンスは度を単位とする第１の所定のホッピングシーケンス（０，１３５，２７０，４５，１８０，３１５，９０及び２２５）からなりかつ少なくとも第２の所定のホッピングシーケンスは度を単位とする第２の所定のホッピングシーケンス（１８０，３１５，９０，２２５，０，１３５，２７０，４５）からなる請求項１に記載の方法。
【請求項４】
前記最初の第２信号は前記第１の所定のホッピングシーケンスにより位相偏移され、前記２番目の第２信号は前記第２の所定のホッピングシーケンスにより位相偏移される請求項３に記載の方法。
【請求項５】
前記最初及び２番目の第２信号がそれぞれ前記非ゼロ複素重み付けする段階の動作期間中に位相偏移される前記第１の所定のホッピングシーケンスと前記第２の所定のホッピングシーケンスの位相偏移ホップが連続した選択間隔で配列される請求項４に記載の方法。
【請求項６】
前記最初及び２番目の第２信号を位相偏移させる前記第１及び第２の所定のホッピングシーケンスの位相偏移ホップが配列される前記連続した選択間隔は周期的間隔からなる請求項５に記載の方法。
【請求項７】
前記最初及び２番目の第２信号がそれぞれ前記非ゼロ複素重み付けする段階の動作期間中に位相偏移される前記第１の所定のホッピングシーケンスと前記第２の所定のホッピングシーケンスの位相偏移ホップがランダムな間隔で配列される請求項４に記載の方法。
【請求項８】
前記少なくとも1つの第2信号が前記非ゼロ複素重み付けする段階の動作期間中に位相偏移される前記の所定のホッピングシーケンスの位相偏移ホップが連続した選定間隔で配列される請求項１に記載の方法。
【請求項９】
前記少なくとも１つの第２信号を位相偏移させる前記の所定のホッピングシーケンスの位相偏移ホップが配列される前記連続した選定間隔は周期的間隔からなる請求項８に記載の方法。
【請求項１０】
前記少なくとも1つの第2信号が前記非ゼロ複素重み付けする段階の動作期間中に位相偏移される前記の所定のホッピングシーケンスの位相偏移ホップがランダムな間隔で配列される請求項１に記載の方法。
【請求項１１】
前記少なくとも1つの重み付け器により前記N個の第1信号の中の1つから生成され、該N個の第１信号の中の１つに対して位相偏移される前記少なくとも1つの第2信号は、最初の第２信号と少なくとも２番目の第２信号とからなり、前記少なくとも第１の所定のホッピングシーケンスは度を単位とする第１の所定のホッピングシーケンス（０，１３５，２７０，４５，１８０，３１５，９０及び２２５）からなりかつ少なくとも第２の所定のホッピングシーケンスは度を単位とする第２の所定のホッピングシーケンス（１８０，３１５，９０，２２５，０，１３５，２７０，４５）からなる請求項２に記載の装置。
【請求項１２】
前記最初の第２信号は前記第１の所定のホッピングシーケンスにより位相偏移され、前記２番目の第２信号は前記第２の所定のホッピングシーケンスにより位相偏移される請求項１１に記載の装置。
【請求項１３】
前記最初及び２番目の第２信号がそれぞれ前記少なくとも1つの重み付け器により位相偏移される前記第１の所定のホッピングシーケンスと前記第２の所定のホッピングシーケンスの位相偏移ホップが連続した選択間隔で配列される請求項１２に記載の装置。
【請求項１４】
前記最初及び２番目の第２信号を位相偏移させる前記第１及び第２の所定のホッピングシーケンスの位相偏移ホップが配列される前記連続した選択間隔は周期的間隔からなる請求項１３に記載の装置。
【請求項１５】
前記最初及び２番目の第２信号がそれぞれ前記少なくとも1つの重み付け器により位相偏移される前記第１の所定のホッピングシーケンスと前記第２の所定のホッピングシーケンスの位相偏移ホップがランダムな間隔で配列される請求項１２に記載の装置。
【請求項１６】
前記少なくとも1つの重み付け器は、前記プロセッサにより生成されるN個の第１信号のうちの最初の第１信号を非ゼロ複素重み付けする第１重み付け器と少なくとも第２重み付け器とからなり、該第２重み付け器は前記プロセッサにより生成されるN個の第１信号のうちの２番目の第１信号を非ゼロ複素重み付けする請求項１１に記載の装置。
【請求項１７】
前記第１重み付け器は前記第１の所定のホッピングシーケンスにより前記最初の第１信号を位相偏させ、前記第２重み付け器は前記第２の所定のホッピングシーケンスにより前記２番目の第１信号を位相偏させる請求項１６に記載の装置。
【請求項１８】
前記少なくとも1つの第2信号が前記少なくとも1つの重み付け器により位相偏移される前記の所定のホッピングシーケンスの位相偏移ホップが連続した選択間隔で配列される請求項２に記載の装置。
【請求項１９】
前記少なくとも１つの第２信号を位相偏移させる前記の所定のホッピングシーケンスの位相偏移ホップが配列される前記連続した選択間隔は周期的間隔からなる請求項１８に記載の装置。
【請求項２０】
前記少なくとも1つの第2信号が前記少なくとも1つの重み付け器により位相偏移される前記の所定のホッピングシーケンスの位相偏移ホップがランダムな間隔で配列される請求項２に記載の装置。
【手続補正２】
【補正対象書類名】明細書
【補正対象項目名】００１６
【補正方法】変更
【補正の内容】
【００１６】
次に、図1bを参照すれば、それは本発明の一実施例による共通パイロットチャネル空間-時間送信ダイバーシティ（STTD）送信機100の一部のブロック図である。この送信機100は、広帯域CDMA（WCDMA）第3世代システム規格のリリース99に対する4アンテナ送信ダイバーシティ拡張として機能することができる。送信機100は、入力126、ブロック符号プロセッサ124、トラフィックチャネルシンボルストリーム処理ブランチ入力102a〜102d、アンテナ利得部104a〜104d、移相器106a及び106b、移相器制御部112a及び112b、符号乗算器108a〜108d、パイロットシーケンス処理ブランチ入力114a〜114d、アンテナ利得部116a〜116d、符号乗算器118a〜118d、RF送信機128a〜128dから構成されるRF送信機128、及びアンテナAnt.1〜Ant.4を備えている。
【手続補正３】
【補正対象書類名】明細書
【補正対象項目名】００２３
【補正方法】変更
【補正の内容】
【００２３】
別の4アンテナダイバーシティ用の共通パイロットチャネル実施例においては、送信の前に、トラフィックチャネルと同様の方法で共通パイロットチャネルを位相偏移させる。次に図2を参照すれば、本発明の別の実施例による共通パイロットチャネルSTTD送信機200の一部のブロック図がそこにある。送信機200は、入力226、ブロック符号プロセッサ224、トラフィックチャネルシンボルストリーム処理ブランチ入力202a〜202d、アンテナ利得部204a〜204d、移相器206a及び206b、移相器制御部212a及び212b、符号乗算器208a〜208d、符号乗算器入力210、パイロットシーケンス処理ブランチ入力214a〜214d、アンテナ利得部216a〜216d、移相器218a及び218b、移相器制御部224a及び224b、符号乗算器220a〜220d、符号乗算器入力222、RF送信機228a〜228dから構成されるRF送信機228、及びアンテナAnt.1〜Ant.4を備えている。
【手続補正４】
【補正対象書類名】明細書
【補正対象項目名】００２８
【補正方法】変更
【補正の内容】
【００２８】
4アンテナダイバーシティの別の実施例においては、図1の送信機150のWCDMAバージョンに専用パイロットチャネルを実現することができる。次に図3を参照すれば、それは本発明の更なる実施例による専用パイロットチャネルSTTD送信機300の一部のブロック図である。送信機300は、入力318、ブロック符号プロセッサ316、チャネルシンボルストリーム処理ブランチ入力302a〜302d、アンテナ利得部304a〜304d、移相器306a及び306b、移相器制御部312a及び312b、符号乗算器308a〜308d、符号乗算器入力310、及びアンテナAnt.1〜Ant.4を有している。
【手続補正５】
【補正対象書類名】明細書
【補正対象項目名】００３５
【補正方法】変更
【補正の内容】
【００３５】
次に、図13を参照すれば、それは図12の送信機に対して使用する受信機1300の一部のブロック図である。受信機1300は、入力1302a及び1302bを有するチャネル1及びチャネル2処理ブランチ、入力1302c及び1302dを有するチャネル3及びチャネル4処理ブランチ、移相器制御部1304、チャネル推定器1306、STTD復調器1310、トラフィック信号入力1312、並びにデインタリーブ部及び復号器1314を備えている。
【手続補正６】
【補正対象書類名】明細書
【補正対象項目名】００３７
【補正方法】変更
【補正の内容】
【００３７】
電力制御のために、位相ホッピングの事前の知識を使用することができる。次に図14を参照すれば、本発明の一実施例による電力制御を推定する受信機の一部が示されている。受信機1400は、チャネル推定器1402、チャネル推定ブランチ入力1404a〜1404d、移相器制御部1408a及び1408b、移相器1406a及び1406b、チャネル推定出力1410a及び1410b、二乗部1412a及び1412b、及び電力制御プロセッサ1414を備えている。
【手続補正７】
【補正対象書類名】明細書
【補正対象項目名】００３９
【補正方法】変更
【補正の内容】
【００３９】
移相器制御部1408a及び1408bにおける位相ホッピングの事前の知識と現在のスロット「t」のチャネル推定値の知識を使用し、スロット「t+1」のチャネル係数を次のように推定する。
【手続補正８】
【補正対象書類名】明細書
【補正対象項目名】００９４
【補正方法】変更
【補正の内容】
【００９４】
次に、図10を参照すれば、図8の送信機800に対して使用する受信機1000の一実施例の一部のブロック図が示されている。受信機1000は、入力1010、ウォルシュ関数部1002a及び1002b、ウォルシュ乗算器1010a及び1010b、乗算器1004a及び1004b、マルチプレクサ1006、及び出力1008を備えている。入力912において受信された受信入力信号は、チャネル係数h1*及びh2*の知識を使用してOTD復調器1000によって復調される。このOTDブロック用のチャネル係数h1*及びh2*は、図4及び図5において説明したものと同様に導出される。OTD復調器1000は、1010、1010a、b、及び1012a、b、並びに1004a、b及び1006を使用して実現される。OTD復調された出力1008は、図5のレイク合成器、デインタリーブ部、及びチャネル復号器部512に送られる。
【手続補正９】
【補正対象書類名】明細書
【補正対象項目名】００９５
【補正方法】変更
【補正の内容】
【００９５】
図1の実施例は、EDGEシステムにおいて稼動するTDMA送信機でも実現可能である。次に図11を参照すれば、それは本発明の一実施例による長STブロック符号送信機の一部のブロック図である。送信機1100は、入力1118、チャネル符号器1120、シンボルストリーム処理ブランチ入力1116a〜1116d、時間反転部1102及び1104、複素共役部1106a及び1106b、乗算器1108、位相乗算器1110a及び1110b、位相乗算器制御部1112a及び1112b、並びにアンテナAnt.1、Ant.2、Ant.3、及びAnt.4を備えている。チャネル符号器1120は、入力1118において受信したシンボルストリームの符号化、パンクチャ、インタリーブ、及びフォーマット化を実行する。チャネル符号器1120は、入力シンボルストリームの奇数及び偶数データストリームへの分割も実行する。偶数データストリームは、データバーストの前半の期間にAnt.1で送信するべく、ブランチ入力1116a及びRF送信機1122aに入力され、奇数データストリームは、データバーストの後半の期間にAnt.2で送信するべく、ブランチ入力1116c及びRF送信機1112cに入力される。バーストの後半の期間では、偶数データストリームが、ブランチ入力1116bに入力され、時間反転部1102において時間が反転され、複素共役部1106aにおいて複素共役され、Ant.3で送信するべくRF送信機1122cに送信される。奇数データストリームは、ブランチ入力1116dに入力され、時間反転部1104において時間が反転され、複素共役部1106bにおいて複素共役され、乗算器1108において負号が乗算され、データバーストの後半の期間にAnt.4で送信するべくRF送信機1122dに送られる。トレーニングシーケンスSEQ1が、Ant.1で送信されるバーストの中間に埋め込まれ、トレーニングシーケンスSEQ2が、Ant.2で送信されるバーストの中間に埋め込まれる。位相乗算器1112a及び1112bは、それぞれ乗算部1110a及び1110bを使用してRF送信機1122b及び1122dへの入力を位相偏移させる。そして、位相乗算器1112aの出力が、Ant.2で送信するべくRF送信機1122bに入力され、位相乗算器1112bの出力が、Ant.4で送信するべくRF送信機1122dに入力される。これらのRF送信機は、ベースバンドパルス整形、変調、キャリアアップコンバージョンを実行可能である。実施例の中には、ベースバンドパルス整形と変調段階の後で位相の乗算を適用することを選択可能なものも存在する。
【手続補正１０】
【補正対象書類名】図面
【補正対象項目名】図１ｂ
【補正方法】変更
【補正の内容】
【図１ｂ】
2005503045.tif 000001
【手続補正１１】
【補正対象書類名】図面
【補正対象項目名】図２
【補正方法】変更
【補正の内容】
【図２】
2005503045.tif 000002
【手続補正１２】
【補正対象書類名】図面
【補正対象項目名】図３
【補正方法】変更
【補正の内容】
【図３】
2005503045.tif 000003
【手続補正１３】
【補正対象書類名】図面
【補正対象項目名】図４
【補正方法】変更
【補正の内容】
【図４】
2005503045.tif 000004
【手続補正１４】
【補正対象書類名】図面
【補正対象項目名】図１２
【補正方法】変更
【補正の内容】
【図１２】
2005503045.tif 000005
【手続補正１５】
【補正対象書類名】図面
【補正対象項目名】図１３
【補正方法】変更
【補正の内容】
【図１３】
2005503045.tif 000006
【手続補正１６】
【補正対象書類名】図面
【補正対象項目名】図１４
【補正方法】変更
【補正の内容】
【図１４】
2005503045.tif 000007